(57)【要約】【課題】リールから穂先までの釣糸の流れがスムーズなガイドセッティングが得られる振り出し竿を提供する。【解決手段】遊動ガイドを備えた振り出し竿であって、ガイドフレームが装着筒に糸巻き固定された糸巻き型の遊動ガイド３１と、ガイドフレームと装着筒が巻糸を使用せず連結一体化された非糸巻き型の遊動ガイド２１，２２，２３とを備えており、穂先竿１の遊動ガイドは非糸巻き型の遊動ガイド２１，２２，２３であり、二番竿２の遊動ガイドは糸巻き型の遊動ガイド３１である。【選択図】図１
2018093784.tif 000002
【特許請求の範囲】
【請求項１】
遊動ガイドを備えた振り出し竿であって、
ガイドフレームが装着筒に糸巻き固定された糸巻き型の遊動ガイドと、ガイドフレームと装着筒が巻糸を使用せず連結一体化された非糸巻き型の遊動ガイドとを備えていることを特徴とする振り出し竿。
【請求項２】
糸巻き型の遊動ガイドは、非糸巻き型の遊動ガイドよりも後側に位置している請求項１記載の振り出し竿。
【請求項３】
遊動ガイドを備えた第一の竿体と、該第一の竿体の後側に位置し、遊動ガイドを備えた第二の竿体とを備え、第一の竿体の遊動ガイドは非糸巻き型の遊動ガイドであり、第二の竿体の遊動ガイドは糸巻き型の遊動ガイドである請求項１又は２記載の振り出し竿。
【請求項４】
穂先竿と該穂先竿の後側に位置する二番竿と元竿とを備え、穂先竿は、トップガイドと非糸巻き型の遊動ガイドとを備え、二番竿は、固定ガイドと糸巻き型の遊動ガイドとを備えている請求項３記載の振り出し竿。
【請求項５】
二番竿と元竿との間に、固定ガイドを備えた一又は複数の竿体を備えている請求項４記載の振り出し竿。
【発明の詳細な説明】
【技術分野】
【０００１】
本発明は、遊動ガイドを備えた振り出し竿に関する。
【背景技術】
【０００２】
この種の振り出し竿用は複数の竿体を備えている。また、振り出し竿の釣糸ガイドには、竿本体の外周面の所定位置に移動不能に固着される固定ガイドの他に、竿本体の外周面に遊動自在に装着される遊動ガイドが用いられる。該遊動ガイドは、移動ガイドとも称される。該遊動ガイドは、金属板からなるガイドフレームを備えている。該ガイドフレームの先部には、釣糸を案内するガイドリングが装着される。また、ガイドフレームの基部には環状部が形成されていて、該環状部の内側に合成樹脂製の装着筒が圧入されている。装着筒は竿本体の外周面に対して軸線方向に移動可能であって、遊動ガイドは、装着筒の内周面と竿本体の外周面との間の摩擦により、竿体の所定位置に位置固定される。
【０００３】
このような構成の遊動ガイドは、装着筒が合成樹脂製であるので、竿本体の外周面にキズが付きにくい。一方、ガイドフレームが金属製であるので、大きな強度を容易に確保できるという利点がある。しかしながら、ガイドフレームには大きな外力が作用することがあり、装着筒からガイドフレームが脱落したり位置ずれしたりしやすいという構造的な問題がある。そのため、ガイドフレームにおけるガイドリングと環状部との間の支持脚部の長さを長くしてガイドリングを装着筒から大きく離間させる構成とすることが困難であり、支持脚部が短い小型の遊動ガイドとされていた。支持脚部が短い小型の遊動ガイドは、穂先側の竿体への使用には適しているものの、竿元側の竿体への使用には適していない。仮に、支持脚部が短い小型の遊動ガイドを竿元側の竿体に使用すると、リールからトップガイドまでの釣糸の流れがスムーズではなくなり、良好なガイドセッティングとはならない。
【０００４】
尚、装着筒とガイドフレームを合成樹脂により一体的に形成した樹脂一体型の遊動ガイドも存在するが、この樹脂一体型の遊動ガイドの場合も同様に、強度の問題からガイドリングが装着筒から大きく離間した構造は採用しにくい。
【先行技術文献】
【特許文献】
【０００５】
【特許文献１】特開２００４−３３７１０５号公報
【発明の概要】
【発明が解決しようとする課題】
【０００６】
それゆえに本発明は上記従来の問題点に鑑みてなされ、リールから穂先までの釣糸の流れがスムーズなガイドセッティングが得られる振り出し竿を提供することを課題とする。
【課題を解決するための手段】
【０００７】
本発明は上記課題を解決すべくなされたものであって、本発明に係る振り出し竿は、遊動ガイドを備えた振り出し竿であって、ガイドフレームが装着筒に糸巻き固定された糸巻き型の遊動ガイドと、ガイドフレームと装着筒が巻糸を使用せず連結一体化された非糸巻き型の遊動ガイドとを備えていることを特徴とする。尚、非糸巻き型の遊動ガイドとは、ガイドフレームと装着筒が巻糸を使用しない固定方法によって固定された構成や、ガイドフレームと装着筒が合成樹脂から射出成形により一体的に形成された構成である。巻糸を使用しない固定方法としては、例えば、ガイドフレームの環状部の内側に装着筒を圧入、内嵌めしたり、ガイドフレームと装着筒とを接着固定したりする方法がある。
【０００８】
該構成の振り出し竿にあっては、非糸巻き型の遊動ガイドの他に糸巻き型の遊動ガイドが使用されているので、ガイドセッティングの自由度が高く、理想的なガイドセッティングに近づけることができる。
【０００９】
特に、糸巻き型の遊動ガイドは、非糸巻き型の遊動ガイドよりも後側に位置していることが好ましい。尚、竿先側を前側とし、竿尻側を後側とする。糸巻き型の遊動ガイドは、ガイドフレームの支持脚部の長さを長くしても強度を容易に確保できる。従って、糸巻き型の遊動ガイドを後側に配置することによって、良好なガイドセッティングが得られる。
【００１０】
また、遊動ガイドを備えた第一の竿体と、該第一の竿体の後側に位置し、遊動ガイドを備えた第二の竿体とを備え、第一の竿体の遊動ガイドは非糸巻き型の遊動ガイドであり、第二の竿体の遊動ガイドは糸巻き型の遊動ガイドであることが好ましい。このように相対的に後側に位置する第二の竿体に糸巻き型の遊動ガイドを採用することにより、良好なガイドセッティングが得られる。
【００１１】
特に、穂先竿と該穂先竿の後側に位置する二番竿と元竿とを備え、穂先竿は、トップガイドと非糸巻き型の遊動ガイドとを備え、二番竿は、固定ガイドと糸巻き型の遊動ガイドとを備えていることが好ましい。穂先竿には小型化に適している非糸巻き型の遊動ガイドを使用し、二番竿には、固定ガイドに加えて、ガイドフレームの支持脚部の長さが長い構成に適している糸巻き型の遊動ガイドを使用することにより、良好なガイドセッティングが得られる。
【００１２】
更に、二番竿と元竿との間に、固定ガイドを備えた一又は複数の竿体を備えていることが好ましく、振り出し竿の全長が長くなっても良好なガイドセッティングが得られる。
【発明の効果】
【００１３】
以上のように、非糸巻き型の遊動ガイドと糸巻き型の遊動ガイドを組み合わせて使用することで、理想的なガイドセッティングに近づけることができ、リールから穂先までスムーズな釣糸の流れが得られ、竿の調子も良好なものとすることができる。
【図面の簡単な説明】
【００１４】
【図１】本発明の一実施形態における振り出し竿の伸張状態を示す正面図。
【図２】同振り出し竿の収納状態を示す正面図。
【図３】同振り出し竿の竿構成を示す分解図。
【図４】同振り出し竿の穂先竿の要部正面図。
【図５】同振り出し竿に使用されている糸巻き型の遊動ガイドを示す一部破断線を示す正面図。
【図６】同糸巻き型の遊動ガイドにおける装着筒であって、（ａ）は正面図、（ｂ）は断面図。
【図７】本発明の他の実施形態における糸巻き型の遊動ガイドにおける装着筒を示す断面図。
【図８】本発明の他の実施形態における振り出し竿の竿構成を示す分解図。
【発明を実施するための形態】
【００１５】
以下、本発明の一実施形態に係る振り出し竿とそれに使用されている糸巻き型の遊動ガイドについて図１〜図６を参酌しつつ説明する。本実施形態における振り出し竿は、図３にその竿構成を示しているように、合計三本の竿体から構成されている。具体的には、最も穂先に位置する竿体である穂先竿１と、該穂先竿１の直ぐ後側（元側であり竿尻側）に位置する竿体である二番竿２と、二番竿２の直ぐ後側に位置し、最も竿尻側の竿体である元竿４とを備えている。二番竿２は、穂先竿１と元竿４の間に位置する中間竿でもあり、本実施形態においては元竿４の直ぐ前側に位置する竿体であるので元上竿でもある。尚、竿体の呼び名の数字は穂先竿１を一番目として後側に順に大きくなっていく。穂先竿１の竿本体１１（ブランク）は中空状でも中実状であってもよい。穂先竿１を除く他の竿体の竿本体１２，１４は何れも中空状である。尚、本実施形態における振り出し竿は小継ぎタイプであって、全ての竿体の長さは９０ｃｍ以下、好ましくは７０ｃｍ以下である。
【００１６】
三本の竿体は、それぞれ所定長さのジョイント部５（継合部）を形成しつつ互いの端部同士が内周面と外周面の摩擦力によって継ぎ合わせられて図１のような伸張状態とされる。即ち、各竿体の竿本体１１，１２，１４は、前側から後側に向けて徐々に所定の拡径率（勾配）で拡径していている。そして、元竿４の前端部所定長さ領域の内側に二番竿２の後端部所定長さ領域が重なり合って継合し、二番竿２の前端部所定長さ領域の内側に穂先竿１の後端部所定長さ領域が重なり合って継合する。各竿体の重ね合わせ領域を図３に符号１１ａ，１２ａ，１４ａで示している。図２に振り出し竿の収納状態を示している。収納状態において、穂先竿１は二番竿２の内側に収納され、二番竿２は元竿４の内側に収納される。
【００１７】
＜穂先竿１＞
穂先竿１は、図４にも示しているように、その前端部にトップガイド２０を備えている。該トップガイド２０は、固定ガイドの一種であって、竿本体１１の前端部に移動不能に固着されている。また、穂先竿１は、トップガイド２０よりも後側に一又は複数の遊動ガイド２１，２２，２３を備えている。本実施形態では、穂先竿１は、三つの遊動ガイド２１，２２，２３を備えている。この穂先竿１の遊動ガイド２１，２２，２３は、巻糸が使用されていない非糸巻き型の遊動ガイドである。非糸巻き型の遊動ガイドとは、ガイドフレームと装着筒が巻糸を使用しない固定方法によって固定された構成や、ガイドフレームと装着筒が合成樹脂から射出成形により一体的に形成された構成である。巻糸を使用しない固定方法としては、例えば、ガイドフレームの環状部の内側に装着筒を圧入、内嵌めしたり、ガイドフレームと装着筒とを接着固定したりする方法がある。
【００１８】
遊動ガイド２１，２２，２３は、詳細には、釣糸を直接案内するためのガイドリング２４と、該ガイドリング２４が装着される金属製のガイドフレーム２５と、竿本体１１の外周面を摺動する合成樹脂製の装着筒２６とを備えている。ガイドフレーム２５は、ガイドリング２４が内側に装着されてガイドリング２４を保持する環状のリング保持部２５ａと、装着筒２６の外周面に嵌合する環状の環状部２５ｃと、リング保持部２５ａと環状部２５ｃとの間を連結する支持脚部２５ｂとを備えている。リング保持部２５ａと支持脚部２５ｂと環状部２５ｃは一つの部材として一体的に形成されており、具体的には、板金から形成される。装着筒２６は、射出成形品であって筒状であって、その内周面が竿本体１１の外周面と摺動する。装着筒２６はガイドフレーム２５の環状部２５ｃの内側に圧入等により嵌合されている。尚、圧入ではなくガイドフレーム２５の環状部２５ｃに装着筒２６が接着固定されていてもよいし、圧入された上で更に接着されていてもよい。
【００１９】
三つの遊動ガイド２１，２２，２３は、図１及び図３のように、それぞれ竿本体１１の所定位置に摩擦により位置固定される。即ち、装着筒２６の内周面が竿本体１１の外周面の所定位置において摩擦により停止してそれ以上後側には移動できない状態となって位置固定される。三つの遊動ガイド２１，２２，２３は、後側のものほど、ガイドリング２４が大きくなり、ガイドフレーム２５の支持脚部２５ｂの長さも長くなって、ガイドリング２４が竿本体１１から径方向外側に離間していく。また、トップガイド２０から一つ目の遊動ガイド２１までの距離よりも一つ目の遊動ガイド２１から二つ目の遊動ガイド２２までの距離の方が長く、一つ目の遊動ガイド２１から二つ目の遊動ガイド２２までの距離よりも二つ目の遊動ガイド２２から三つ目の遊動ガイド２３までの距離の方が長い。このようにガイド間距離は後側ほど長くなっている。尚、ガイド間距離はガイドリング２４の位置を基準とする。本実施形態において、非糸巻き型の遊動ガイド２１，２２，２３は、ガイドフレーム２５と装着筒２６とが別部材の構成であったが、ガイドフレーム２５と装着筒２６が例えば合成樹脂から成形によって一体的に形成された一つの部材である一体成形品として構成されていてもよい。
【００２０】
＜二番竿２＞
二番竿２は、一つの固定ガイド３０と一つの遊動ガイド３１とを備えている。固定ガイド３０は、二番竿２の前端部に備えられていて、遊動ガイド３１は固定ガイド３０の後側に位置している。固定ガイド３０は、詳細な図示は省略するが、金属製のガイドフレームとガイドリングを備えている。ガイドフレームは、リング保持部と支持脚部と取り付け脚部とを備えている。取り付け脚部は支持脚部の基端部から後側に向けて延びる一本脚の構成であって、その取り付け脚部が竿本体１２の前端部外周面に巻糸により糸巻き固定されている。
【００２１】
遊動ガイド３１は、糸巻き型の遊動ガイド３１であるが、その詳細については後述する。遊動ガイド３１は、固定ガイド３０から所定距離後側に離れた位置に停止する。図１のように、伸張状態において、穂先竿１の最も後側の遊動ガイドである三つ目の遊動ガイド２３から二番竿２の固定ガイド３０までの距離は、穂先竿１の二つ目の遊動ガイド２２から三つ目の遊動ガイド２３までの距離よりも長い。また、二番竿２における固定ガイド３０から遊動ガイド３１までの距離は、穂先竿１の三つ目の遊動ガイド２３から二番竿２の固定ガイド３０までの距離よりも長い。図１のように、二番竿２の遊動ガイド３１は、この振り出し竿において最も後側に位置する釣糸ガイドであり、この遊動ガイド３１よりも後側には釣糸ガイドは存在しない。
【００２２】
＜元竿４＞
元竿４は、図示しないリールを取り付けるためのリールシート４０を備えている。本実施形態における振り出し竿は、スピニングリールを取り付けて使用するタイプの竿であり、従って、リールシート４０はスピニングリールを取り付けるための仕様となっている。但し、両軸リールを取り付ける構成のリールシート４０であってもよい。元竿４の前端部には固定ガイドが存在せず、元竿４は釣糸ガイドを備えていない。また、元竿４の後部にはリアグリップ４１が備えられており、元竿４の後端部には図示しない尻栓が装着される。
【００２３】
＜糸巻き型の遊動ガイド３１＞
次に二番竿２に装着されている糸巻き型の遊動ガイド３１の詳細について説明する。図５に糸巻き型の遊動ガイド３１を単体の状態で示している。該遊動ガイド３１は、ガイドリング５０とガイドフレーム５１と装着筒５２を備えている。ガイドフレーム５１は、金属製であって、リング保持部５１ａと支持脚部５１ｂと取り付け脚部５１ｃとを備えている。該ガイドフレーム５１は、二番竿２の固定ガイド３０と同様の構成である。即ち、リング保持部５１ａは環状であってその内側にガイドリング５０が接着固定されている。取り付け脚部５１ｃは、支持脚部５１ｂの基端部から後側に向けて延びる一本脚の構成であって、装着筒５２の外周面に巻糸５３により糸巻き固定されている。支持脚部５１ｂは、一本脚の構成であってもよいし、基端部から先端部に向けてＶ字状に開いた左右一対の二本脚の構成であってもよい。支持脚部５１ｂは、基端部から先端部に向けて徐々に前側に傾斜していることが糸絡みの発生を防止できるため好ましく、特に、基端部から先端部に向けて後側に突出するように湾曲しつつ傾斜していることが好ましい。ガイドリング５０の中心線は装着筒５２の中心線と平行であってもよいが、本実施形態では、ガイドリング５０の中心線は装着筒５２の中心線に対して平行ではなく前傾状態に傾斜している。このように支持脚部５１ｂが前側に傾倒していることから、ガイドフレーム５１のリング保持部５１ａ及びガイドリング５０は、装着筒５２の前端部よりも前側に位置している。
【００２４】
＜装着筒５２＞
装着筒５２は、合成樹脂製であって、射出成形により形成された射出成形品である。装着筒５２のみを図６に示している。装着筒５２は、その内径に対して軸線方向（中心線の方向）の長さが長い筒状である。装着筒５２の外周面には、前側から順に、第一の大径部６０と、取付面６１と、第二の大径部６２と、第三の大径部６３と、テーパ外周面６４とを備えている。
【００２５】
第一の大径部６０は装着筒５２の外周面の前端部に位置していて、フランジ状に形成されている。第一の大径部６０は装着筒５２の前端面６５の外周縁部とつながっている。尚、装着筒５２の前端面６５は、装着筒５２の中心線に対して直交する垂直面となっている。第一の大径部６０は、取付面６１よりも大径であって、第一の大径部６０と取付面６１との間には第一の段差部６６が形成されている。第一の段差部６６は、取付面６１の前端部から径方向外側に向かっていて、装着筒５２の中心線に対して直交する環状の垂直面であることが好ましい。第一の大径部６０は幅狭であって、少なくとも取付面６１よりも軸線方向の長さは短い。
【００２６】
取付面６１は、装着筒５２の外周面の全長のうち大部分を占める周面であって、径一定である。取付面６１にガイドフレーム５１の取り付け脚部５１ｃが取り付けられる。従って、取付面６１の軸線方向の長さは、ガイドフレーム５１の取り付け脚部５１ｃの長さ以上であって、図５のように、ガイドフレーム５１の取り付け脚部５１ｃの長さに対して所定長さの余裕分を有していることが好ましく、その余裕分には巻糸５３が一回以上巻き付けられる。
【００２７】
取付面６１の後側にも径方向外側に向かう第二の段差部６７と第三の段差部６８が形成されている。即ち、取付面６１の後側には、段差部が二段形成されている。取付面６１と第二の大径部６２との間に第二の段差部６７が形成されていて、第二の大径部６２と第三の大径部６３との間に第三の段差部６８が形成されている。第二の段差部６７と第三の段差部６８は、何れも装着筒５２の中心線に対して直交する環状の垂直面であることが好ましい。取付面６１に対して第二の段差部６７を介して第二の大径部６２が一段大径に形成されていて、更に、第二の大径部６２に対して第三の段差部６８を介して第三の大径部６３が一段大径に形成されている。このように、取付面６１から第二の大径部６２、第三の大径部６３と後側に向けて階段状に径が大きくなっていく。尚、第二の段差部６７は第三の段差部６８よりも大きい。第二の大径部６２は第一の大径部６０よりも小径であり、第三の大径部６３は第一の大径部６０と同一径である。また、第一の大径部６０と第二の大径部６２と第三の大径部６３は、幅が互いに略同一とされているが、この幅は任意であって種々変更してよい。尚、第一の段差部６６と第二の段差部６７の径方向の寸法、即ち段差の大きさは、巻糸５３の太さ以上であることが好ましい。
【００２８】
テーパ外周面６４は、装着筒５２の外周面の最後部に形成されている。第三の大径部６３の後端部から装着筒５２の後端部までの間がテーパ外周面６４であり、従って、テーパ外周面６４の後端部は装着筒５２の外周面の後端部となっており、テーパ外周面６４は装着筒５２の後端面６９の外周縁部とつながっている。テーパ外周面６４の幅即ち軸線方向の長さは、第三の大径部６３のそれよりも長く、第二の大径部６２の幅と第三の大径部６３の幅を合わせた長さに略等しい。テーパ外周面６４は第三の大径部６３から装着筒５２の後端面６９の外周縁部まで延びていて、後側に向けて徐々に縮径する傾斜面となっている。テーパ外周面６４の傾斜角度は任意であってよいが、好ましくは４５度未満である。
【００２９】
装着筒５２の内周面は、後側に向けて拡径するテーパ内周面７０となっている。テーパ内周面７０は、装着筒５２の全長に亘って形成されている。従って、装着筒５２の前端部の内径は相対的に小さく、装着筒５２の後端部の内径は相対的に大きい。テーパ内周面７０の傾斜角度は射出成形の金型の抜き勾配となっており、実際には１度程度であるが、図５及び図６においては誇張して図示している。尚、図５及び図６に金型の抜き方向を三つの矢印Ｒで示している。また、装着筒５２の外周面には、１８０度対向した位置に二箇所のパーティングラインＰＬが形成される。
【００３０】
＜遊動ガイド３１の製作＞
装着筒５２の取付面６１にガイドフレーム５１の取り付け脚部５１ｃを載せる。ガイドフレーム５１の取り付け脚部５１ｃが装着筒５２の中心線に沿うようにする。ガイドフレーム５１の取り付け脚部５１ｃは、第一の段差部６６に接触するか、あるいは、第一の段差部６６から若干後側に離れて位置する。図５では、ガイドフレーム５１の取り付け脚部５１ｃが第一の段差部６６に接触した状態を示している。ガイドフレーム５１の取り付け脚部５１ｃの後端部は第二の段差部６７から所定距離前側に離れて位置する。そして、巻糸５３をガイドフレーム５１の取り付け脚部５１ｃの上から巻回して、ガイドフレーム５１の取り付け脚部５１ｃを装着筒５２の取付面６１に固定する。巻糸５３は、取り付け脚部５１ｃの後端部を後側に越えて、取り付け脚部５１ｃと第二の段差部６７との間に残った取付面６１の余裕部分にも数回巻回するようにして、取付面６１の後端部まで巻糸５３を巻回するようにする。
【００３１】
尚、図５では、ガイドフレーム５１の支持脚部５１ｂの前側に巻糸５３を巻回していないが、ガイドフレーム５１の支持脚部５１ｂの前側にも巻糸５３を巻回するようにしてもよい。即ち、ガイドフレーム５１の取り付け脚部５１ｃを第一の段差部６６から若干後側に離して位置させて、ガイドフレーム５１の支持脚部５１ｂの基端部と第一の段差部６６との間に位置する取付面６１に巻糸５３を一回あるいは数回巻き付けるようにしてもよい。特に、ガイドフレーム５１の取り付け脚部５１ｃの長さが短い場合には、ガイドフレーム５１の支持脚部５１ｂの前側にも巻糸５３を巻回することが好ましく、ガイドフレーム５１を装着筒５２により一層強固に固定できる。巻糸５３を巻き付けた後、その表面にエポキシ樹脂等の接着剤７１を付着させて表面を接着剤７１でコーティングするようにする。接着剤７１は巻糸５３の巻回部分の全長に亘って塗布する。
【００３２】
以上のように構成された糸巻き型の遊動ガイド３１にあっては、装着筒５２の外周面の取付面６１にガイドフレーム５１の取り付け脚部５１ｃが糸巻き固定されているので、装着筒５２とガイドフレーム５１を強固に連結させることができる。従って、ガイドフレーム５１の支持脚部５１ｂを長くしてもガイドフレーム５１が装着筒５２から外れたり、装着筒５２に対してガイドフレーム５１が位置ずれしたりすることを防止できる。従って、支持脚部５１ｂを長くしてガイドリング５０の竿本体１２からの離間距離を大きくすることができる。
【００３３】
また、装着筒５２の外周面の最後部には後側に向けて縮径するテーパ外周面６４が形成されているので、装着筒５２の後端部における糸絡みの発生が防止される。特に、テーパ外周面６４の傾斜角度が４５度未満であると、装着筒５２の後端部における糸絡みの発生をより一層防止できる。
【００３４】
また、テーパ外周面６４が形成されていても装着筒５２の後端面６９には垂直面が維持されているので、二番竿２が元竿４に収納される際に、元竿４の前端部に装着筒５２の後端面６９が当接し、装着筒５２の後端部が元竿４の前端部に入り込まなくなる。従って、元竿４の前端部の破損が防止され、また、装着筒５２が元竿４の前端部から抜けなくなるということも防止できる。従って、装着筒５２の後端面６９の外周縁部の直径は、元竿４の前端部の内径よりも大きいものとする。
【００３５】
また、取付面６１の前側に第一の段差部６６を介して第一の大径部６０が形成されているので、第一の段差部６６が壁となって接着剤７１を堰き止める。従って、接着剤７１の前側へのはみ出しが防止される。一方、取付面６１の後側にも第二の段差部６７と第三の段差部６８が形成されているので、第二の段差部６７が一段目の堰となり、第三の段差部６８が二段目の堰となって接着剤７１の後側への流れ出しを阻止する。特に、取付面６１の後側に二段の段差部が形成されているので、一段の段差部に比して接着剤７１の後方への流れ出しをより一層確実に防止できる。
【００３６】
また、装着筒５２の内周面の略全長が後側に向けて拡径するテーパ内周面７０となっているので、後側に向けて拡径していく二番竿２の竿本体１２の外周面の形状に装着筒５２の内周面が沿いやすくなる。そのため、装着筒５２が竿本体１２に対してがたつきにくくなり、遊動ガイド３１を竿本体１２にしっかりと位置固定できる。特に、装着筒５２の内周面の略全長に亘ってテーパ内周面７０が形成されているので、装着筒５２と竿本体１２との間の摩擦力が十分に確保され、遊動ガイド３１を所定位置に確実に位置固定できる。
【００３７】
そして、このような糸巻き型の遊動ガイド３１を二番竿２に備えている一方、穂先竿１には小型の非糸巻き型の遊動ガイド２１，２２，２３を複数備えているので、理想的なガイドセッティングに近づけることができ、リールからトップガイド２０までスムーズな釣糸の流れが確保されると共に良好な竿の調子も得られる。
【００３８】
尚、糸巻き型の遊動ガイド３１の装着筒５２の構成は種々変更可能であって、上述したように取付面６１の後側の二段の段差部６７，６８を備えるものには限定されず、取付面６１の後側に段差部が一段のみ形成された構成であってもよい。また、取付面６１の後側に段差部が形成されていない構成としてもよい。
【００３９】
装着筒５２は、キャビとコアのみから構成される金型によって製造される構成であってもよい。図７のように金型の抜き方向を二つの矢印Ｒで示している。金型の抜き方向は前後方向である。この装着筒５２は、前端部に段差部６６を備えるものの後側には段差部が形成されていない。従って、装着筒５２の外周面は、大径部６０と取付面６１とテーパ外周面６４とからなる。取付面６１は後側に向かって僅かに縮径していく形状であって、その傾斜角度は金型の抜き勾配による。テーパ外周面６４の傾斜角度は取付面６１の傾斜角度よりも大きいものであって１０度以上であり、４５度未満が好ましい。外周面のパーティングラインＰＬは、二点鎖線で示しているように段差部６６となる。
【００４０】
一方、装着筒５２の内周面のパーティングラインＰＬは前後方向の中途部に形成されてよい。内周面のパーティングラインＰＬは実線で示している。この場合、後側に向かって徐々に拡径していくテーパ内周面７０は装着筒５２の内周面の略全長に亘って形成されず部分的なものとなる。その場合、テーパ内周面７０は内周面の全長のうち少なくとも後側半分を越える長さを有していることが好ましく、それによって装着筒５２を竿本体１２に安定して位置固定できる。即ち、内周面のパーティングラインＰＬは、内周面の全長の中央部に対して前側とする。パーティングラインＰＬよりも前側の内周面は前側に向けて徐々に拡径していく逆テーパ内周面８０である。尚、テーパ内周面７０と逆テーパ内周面８０の傾斜角度は何れも金型の抜き勾配であるため実際には１度程度であるが、図７においては理解を容易にするために誇張して図示している。
【００４１】
また、上記実施形態における振り出し竿は、穂先竿１と二番竿２と元竿４という三本の構成であったが、四本以上の構成であってもよい。例えば、四本の竿体を備える構成とする場合、図８のように、穂先竿１と二番竿２と三番竿３と元竿４とから構成される。図８の構成では、三番竿３が元竿４の直ぐ前側に位置しているので元上竿であり、二番竿２は、元上竿の直ぐ前側に位置しているので元々上竿である。穂先竿１と二番竿２と元竿４は、図３に示した構成と同様である。従って、図８の振り出し竿は、図３の振り出し竿における二番竿２と元竿４との間に一本の竿体が追加された構成である。追加された三番竿３は、前端部に二番竿２と同様の固定ガイド３０を備えている。三番竿３の竿本体１３は二番竿２の竿本体１２と同様の構成であり、後端部に元竿４と重ね合わせられる重ね合わせ領域１３ａを有している。三番竿３における釣糸ガイドはこの固定ガイド３０のみであって、糸巻き型の遊動ガイドは備えていない。このように四本構成とすることで三本構成に比して振り出し竿の全長を長くすることができる。従って、三番竿３と元竿４の間に、更に、前端部に固定ガイド３０を備えた竿体を順次追加することで、更に長い振り出し竿となる。
【００４２】
尚、上記実施形態では、二番竿２に糸巻き型の遊動ガイド３１を一つ備えた構成であったが、二番竿２に二つ以上の糸巻き型の遊動ガイド３１を備えるようにしてもよい。また、穂先竿１の後部にも糸巻き型の遊動ガイド３１を備えるようにしてもよい。図８の構成では、三番竿３にも糸巻き型の遊動ガイド３１を備えるようにしてもよい。
【００４３】
また、糸巻き型の遊動ガイド３１において、取り付け脚部５１ｃが一本脚の構成である場合について説明したが、取り付け脚部５１ｃが前後それぞれに延びる前後二本脚の構成であってもよい。
【符号の説明】
【００４４】
１    穂先竿（第一の竿体）
２    二番竿（第二の竿体）
３    三番竿
４    元竿
５    ジョイント部
１１    竿本体
１１ａ  重ね合わせ領域
１２    竿本体
１２ａ  重ね合わせ領域
１３    竿本体
１３ａ  重ね合わせ領域
１４    竿本体
１４ａ  重ね合わせ領域
２０    トップガイド
２１    非糸巻き型の遊動ガイド
２２    非糸巻き型の遊動ガイド
２３    非糸巻き型の遊動ガイド
２４    ガイドリング
２５    ガイドフレーム
２５ａ  リング保持部
２５ｂ  支持脚部
２５ｃ  環状部
２６    装着筒
３０    固定ガイド
３１    糸巻き型の遊動ガイド
４０    リールシート
４１    リアグリップ
５０    ガイドリング
５１    ガイドフレーム
５１ａ  リング保持部
５１ｂ  支持脚部
５１ｃ  取り付け脚部
５２    装着筒
５３    巻糸
６０    第一の大径部
６１    取付面
６２    第二の大径部
６３    第三の大径部
６４    テーパ外周面
６５    前端面
６６    第一の段差部
６７    第二の段差部
６８    第三の段差部
６９    後端面
７０    テーパ内周面
７１    接着剤
８０    逆テーパ内周面
ＰＬ    パーティングライン
【図１】
2018093784.tif 000003
【図２】
2018093784.tif 000004
【図３】
2018093784.tif 000005
【図４】
2018093784.tif 000006
【図５】
2018093784.tif 000007
【図６】
2018093784.tif 000008
【図７】
2018093784.tif 000009
【図８】
2018093784.tif 000010